(57)【要約】【課題】ホールコンピュータへの負荷を軽減する遊技場監視システム及び、当該遊技場監視システムにより監視される遊技機を提供する。【解決手段】リーダライタによりＩＣタグを用いて遊技機の開閉の監視を行う。リーダライタにおいて、異常を検出すると異常情報が作成され、島管理装置へ送信される。そして、島管理装置からホールコンピュータに異常情報が送信され、ホールコンピュータでは、エマージェンシメッセージ画面５００で異常の発生を報知する。しかし、リーダライタは夜間も稼動して監視を行うが、島管理装置及びホールコンピュータは夜間稼動していない。そこで、島管理装置及びホールコンピュータ起動後、リーダライタから夜間に発生した異常の異常情報が送信されるが、ホールコンピュータは島管理装置との通信が開始してから１分間を報知禁止状態とし報知を行わないのでホールコンピュータに過剰な負荷が掛からない。【選択図】図１２
2007319259.tif 000002
【特許請求の範囲】
【請求項１】
遊技場内の遊技島に設置された遊技機を監視するために、固有の識別情報を記憶した監視タグが前記遊技機の所定の位置に設置されており、
前記監視タグと通信可能な位置に設置された監視アンテナを接続した監視制御装置が、
前記監視タグと前記監視アンテナとでＲＦＩＤ通信を繰り返して通信状態の監視を行い、所定の状態となった場合には異常と判断する判断手段と、
当該判断手段により異常と判断された場合に異常と判断されたことを示す異常情報を作成する異常情報作成手段と、
当該異常情報作成手段により作成された前記異常情報を管理装置に送信する第一異常情報送信手段とを備え、
前記管理装置は、
複数の監視制御装置から接続され、かつ、遊技場を管理するホールコンピュータに接続しており、
前記第一異常情報送信手段から送信された前記異常情報を受信する第一異常情報受信手段と、
当該第一異常情報受信手段が受信した前記異常情報を前記ホールコンピュータに送信する第二異常情報送信手段とを備え、
前記ホールコンピュータは、
前記第二異常情報送信手段から送信された前記異常情報を受信する第二異常情報受信手段と、
当該第二異常情報受信手段が受信した前記異常情報の内容を報知する異常報知手段と、
前記第二異常情報受信手段が受信した前記異常情報を記憶する異常情報記憶手段と、
当該異常情報記憶手段に記憶されている前記異常情報を表示する異常情報表示手段とを備えた遊技場監視システムであって、
前記ホールコンピュータは、
前記異常報知手段による前記異常情報の内容の報知を禁止する報知禁止手段と、
前記管理装置との通信が開始されてから所定時間が経過するまでの間、前記報知禁止手段により前記異常報知手段による前記異常情報の内容の報知を禁止する報知禁止制御手段とを備えたことを特徴とする遊技場監視システム。
【請求項２】
前記ホールコンピュータは、
前記報知禁止制御手段により前記異常報知手段による報知が禁止されていても、前記第二異常情報受信手段が受信した前記異常情報を前記異常情報記憶手段に記憶する異常情報記憶制御手段を備えたことを特徴とする請求項１に記載の遊技場監視システム。
【請求項３】
前記監視制御装置は、
前記第一異常情報送信手段により前記管理装置に前記異常情報を送信できなかった場合には、送信できなかった前記異常情報を前記管理装置との通信が成立した際に再度前記管理装置に送信する異常情報再送制御手段を備えていることを特徴とする請求項１又は２に記載の遊技場監視システム。
【請求項４】
前記監視制御装置は、
前記第一異常情報送信手段により前記異常情報を送信してから所定時間経過後において前記判断手段により異常と判断されている場合に、継続して異常が発生していることを示す継続情報を作成する継続情報作成手段と、
当該継続情報作成手段により作成された前記継続情報を前記管理装置に送信する第一継続情報送信手段とを備え、
前記管理装置は、
前記第一継続情報送信手段から送信された前記継続情報を受信する第一継続情報受信手段と、
当該第一継続情報受信手段が受信した前記継続情報を前記ホールコンピュータに送信する第二継続情報送信手段とを備え、
前記ホールコンピュータは、
前記第二継続情報送信手段から送信された前記継続情報を受信する第二継続情報受信手段と、
当該第二継続情報受信手段により前記継続情報を受信した場合に、継続して異常が発生していることを報知する継続報知手段とを備えており、
前記報知禁止制御手段は、前記管理装置との通信が開始されてから所定時間が経過するまでの間、前記報知禁止手段により前記継続報知手段による前記継続情報の内容の報知も禁止することを特徴とする請求項１乃至３のいずれかに記載の遊技場監視システム。
【請求項５】
請求項１乃至４のいずれかに記載の遊技場監視システムにより監視される遊技機。
【発明の詳細な説明】
【技術分野】
【０００１】
本発明は遊技場監視システム及び遊技機に関し、詳細には、ホールコンピュータへの負荷を軽減する遊技場監視システム及び、当該遊技場監視システムにより監視される遊技機に関する。
【背景技術】
【０００２】
従来、遊技場に設置されているパチンコ機やパチスロ機等の遊技機の各種情報を管理するために、専用機型のホールコンピュータが使用されている。このホールコンピュータは、各遊技機をケーブルで直接接続して情報を収集している。また、これらの情報は、稼働した遊技媒体の数、払い出した遊技媒体の数、パチンコ機であれば各種入賞口に入球した遊技球の数、図柄始動口に入球した遊技球の数、大当たり条件成立により遊技者が遊技球を増加可能な大当たり遊技状態であるか否かの情報、大当たり条件が成立しやすくなる確率変動遊技状態であるか否かの情報等の遊技機の遊技状態に関する遊技情報が主であり、ホールコンピュータに記憶され、ディスプレイに表示されたり、用紙に印刷されたり、遊技場内の表示装置に表示されたりしている。また、専用機型のホールコンピュータは、高価である。なお、通常、ホールコンピュータは遊技場の係員帰宅時に電源が落とされており、夜間は稼動させず、営業日の朝係員が電源を入れて稼動させている。
【０００３】
また、従来、遊技機のうちパチンコ機においては、不当に遊技球を獲得する不正行為が後を絶たず、種々の防止策が施されている。特に、遊技機の制御を司る制御基板の不正改造、例えば、不正ＲＯＭへの交換を防止するために、制御基板を収納する制御基板収納ボックスには、様々な工夫が施されている。例えば、制御基板収納ボックスに封印シールを設けたり、また、特許文献１に記載のパチンコ機の制御基板収納ボックスでは、主制御基板に触われないように、制御基板収納ボックスを閉じるかしめ方向にのみ回転する封印ビスによって、制御基板収納ボックスの開放が困難になっている。さらに、特許文献２に記載のパチンコ機では、可動接点を用いて収納ボックスの開閉を検出して、その検出信号を記憶して、発光ダイオードにより報知するようになっている。また、特許文献３に記載の遊技用装置では、制御基板収納ボックスの表面にＩＣタグを貼着し、ＩＤ読取装置からの送信要求に応じてＩＣタグからその内部に記憶された識別情報をＩＤ読取装置に送信させ、識別情報を確認することにより、制御基板収納ボックスごと制御基板がすり替えられたか否かを判断するようになっている。
【０００４】
しかしながら、封印シールを用いるものでは、制御基板収納ボックスを開放して不正ＲＯＭへの交換が終了した後に、精巧な偽造封印シールを張られてしまうと制御基板収納ボックスが開閉されたか否かを判断することは困難だった。また、特許文献１に記載の発明のパチンコ機の制御基板ボックスのように封印ビスを用いるものでは、特殊な工具で強制的に封印ビスを開放方向へ回して制御基板収納ボックスを開放して不正ＲＯＭへの交換が行われてしまうことがあった。さらに、特許文献２に記載の発明のパチンコ機のように可動接点を用いて制御基板収納ボックスの開閉を検出するものでは、制御基板収納ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまうことがあった。この場合には、制御基板収納ボックスの開閉を検出することができなくなるという問題点があった。さらに、上記のような従来技術では、制御基板収納ボックスが開閉されたか否かは、制御基板を目視しないと判断できないという問題点があり、このような不正行為は夜間に行われることが多いが、遊技場に何百台とある遊技機を毎朝点検確認するのは煩雑であった。また、特許文献３の記載の発明のように、ＩＣタグの識別により制御基板収納ボックスのすり替えを監視するものでは、ＩＤ読取装置が制御基板収納ボックスの外側に配置されているため、ＩＣタグとＩＤ読取装置の相対位置を変更せずに制御基板収納ボックスを開放し、収納された制御基板上のＲＯＭをすり替えることが可能であり、結局は、不正行為の早期発見には至らなかった。
【０００５】
そこで、本出願人は、ＩＣタグ及びＩＣタグを呼び出すアンテナを基板ボックスに設置し、アンテナを接続したＩＣタグ監視装置において継続的に基板ボックス及びアタッカ部材を監視し、基板ボックスが開放された場合には、管理機において、エラー（ＩＣタグとの正常な通信ができない）の発生や回復のデータを記憶し、さらには、表示機へ異常の内容を表示したり、警告ランプを点灯させたりして、異常の発生を報知する監視システムを提案した（特願２００２−２３２１９３、特許文献４参照）。
【特許文献１】特開平１０−２１６３２４号公報
【特許文献２】特開平９−３４３６５号公報
【特許文献３】特開２０００−２８８２１８号公報
【特許文献４】特開２００４−０６５８０１号公報
【発明の開示】
【発明が解決しようとする課題】
【０００６】
本出願人による特許文献４に記載の発明の監視システムでは、専用機である管理機においてエラーの発生や回復のデータを記憶し、エラーの発生を報知しているが、特許文献４に変形例として記載されているように、管理機だけでなくホールコンピュータにエラーのデータを送信することも考えられる。そして、ホールコンピュータにおいてもエラーのデータの内容を記憶したり、報知したりすることも考えられる。このホールコンピュータにおける報知では、エラーのデータの内容を記載した警告画面をディスプレイの最前面にポップアップさせ、係員にエラーの発生を知らせる方法が考えられる。また、特許文献４の変形例として、基板ボックスやアタッカ部材以外の場所にＩＣタグを設置して監視を行うとの記載もある。
【０００７】
ここで、夜間、ホールコンピュータが稼動していない時に、遊技機のメンテナンス作業が行われるような場合を考える。このような場合、作業内容によってはＩＣタグとの正常な通信が行えず、エラーのデータが作成されることがある。特に、遊技機の扉にＩＣタグを設置して、扉の開放を監視しているような場合には多量のデータが作成されることとなる。そこで、翌朝ホールコンピュータを起動させると、多量のデータを受信し続けることとなる。ここで、ホールコンピュータにおいてデータの記憶だけでなく、報知も行われるとすると、エラーの発生を報知する画面が次々と継続して表示されることとなる。
【０００８】
しかしながら、ホールコンピュータはＩＣタグによる遊技機の監視の専用機でないので、遊技機の遊技状態に関する遊技情報の閲覧など、ＩＣタグによる遊技機の異常の内容の受信や報知以外の作業も行われる。係員が、ホールコンピュータを立ち上げ、何らかの作業をホールコンピュータで行おうとした際に、エラーを報知する画面が次々と継続して表示されると、マウスやキーボードで何らか画面の入力を行ったり、アイコンやウィンドウを選択したりしようとしても、次々に表示されるエラーを報知する画面が選択されてしまい、ユーザの行いたい操作が行えないという問題点がある。
【０００９】
本発明は、上記課題を解決するためになされたものであり、ホールコンピュータへの負荷を軽減する遊技場監視システム及び、当該遊技場監視システムにより監視される遊技機を提供することを目的とする。
【課題を解決するための手段】
【００１０】
上記課題を解決するため、請求項１に係る発明の遊技場監視システムでは、遊技場内の遊技島に設置された遊技機を監視するために、固有の識別情報を記憶した監視タグが前記遊技機の所定の位置に設置されており、前記監視タグと通信可能な位置に設置された監視アンテナを接続した監視制御装置が、前記監視タグと前記監視アンテナとでＲＦＩＤ通信を繰り返して通信状態の監視を行い、所定の状態となった場合には異常と判断する判断手段と、当該判断手段により異常と判断された場合に異常と判断されたことを示す異常情報を作成する異常情報作成手段と、当該異常情報作成手段により作成された前記異常情報を管理装置に送信する第一異常情報送信手段とを備え、前記管理装置は、複数の監視制御装置から接続され、かつ、遊技場を管理するホールコンピュータに接続しており、前記第一異常情報送信手段から送信された前記異常情報を受信する第一異常情報受信手段と、当該第一異常情報受信手段が受信した前記異常情報を前記ホールコンピュータに送信する第二異常情報送信手段とを備え、前記ホールコンピュータは、前記第二異常情報送信手段から送信された前記異常情報を受信する第二異常情報受信手段と、当該第二異常情報受信手段が受信した前記異常情報の内容を報知する異常報知手段と、前記第二異常情報受信手段が受信した前記異常情報を記憶する異常情報記憶手段と、当該異常情報記憶手段に記憶されている前記異常情報を表示する異常情報表示手段とを備えた遊技場監視システムであって、前記ホールコンピュータは、前記異常報知手段による前記異常情報の内容の報知を禁止する報知禁止手段と、前記管理装置との通信が開始されてから所定時間が経過するまでの間、前記報知禁止手段により前記異常報知手段による前記異常情報の内容の報知を禁止する報知禁止制御手段とを備えたことを特徴とする。
【００１１】
また、請求項２に係る発明の遊技場監視システムでは、請求項１に記載の発明の構成に加えて、前記ホールコンピュータは、前記報知禁止制御手段により前記異常報知手段による報知が禁止されていても、前記第二異常情報受信手段が受信した前記異常情報を前記異常情報記憶手段に記憶する異常情報記憶制御手段を備えたことを特徴とする。
【００１２】
また、請求項３に係る発明の遊技場監視システムでは、請求項１又は２に記載の発明の構成に加えて、前記監視制御装置は、前記第一異常情報送信手段により前記管理装置に前記異常情報を送信できなかった場合には、送信できなかった前記異常情報を前記管理装置との通信が成立した際に再度前記管理装置に送信する異常情報再送制御手段を備えていることを特徴とする。
【００１３】
また、請求項４に係る発明の遊技場監視システムでは、請求項１乃至３のいずれかに記載の発明の構成に加えて、前記監視制御装置は、前記第一異常情報送信手段により前記異常情報を送信してから所定時間経過後において前記判断手段により異常と判断されている場合に、継続して異常が発生していることを示す継続情報を作成する継続情報作成手段と、当該継続情報作成手段により作成された前記継続情報を前記管理装置に送信する第一継続情報送信手段とを備え、前記管理装置は、前記第一継続情報送信手段から送信された前記継続情報を受信する第一継続情報受信手段と、当該第一継続情報受信手段が受信した前記継続情報を前記ホールコンピュータに送信する第二継続情報送信手段とを備え、前記ホールコンピュータは、前記第二継続情報送信手段から送信された前記継続情報を受信する第二継続情報受信手段と、当該第二継続情報受信手段により前記継続情報を受信した場合に、継続して異常が発生していることを報知する継続報知手段とを備えており、前記報知禁止制御手段は、前記管理装置との通信が開始されてから所定時間が経過するまでの間、前記報知禁止手段により前記継続報知手段による前記継続情報の内容の報知も禁止することを特徴とする。
【００１４】
また、請求項５に係る発明の遊技機では、請求項１乃至４のいずれかに記載の遊技場監視システムにより監視される。
【発明の効果】
【００１５】
請求項１に係る発明の遊技場監視システムでは、ホールコンピュータの報知禁止手段は、異常報知手段による異常情報の内容の報知を禁止し、報知禁止制御手段は、管理装置との通信が開始されてから所定時間が経過するまでの間、報知禁止手段により異常報知手段による異常情報の内容の報知を禁止することができる。したがって、ホールコンピュータと管理装置との接続が開始されたことにより、管理装置から多量の異常情報をホールコンピュータが受信しても、報知が禁止されているので、異常報知手段による異常情報の内容の報知が多量に行われることがない。よって、多量の報知に伴いホールコンピュータに過度の負荷が掛かることがない。また、多量の報知が、遊技場の係員がホールコンピュータで行う作業の邪魔をすることがない。
【００１６】
また、請求項２に係る発明の遊技場監視システムでは、請求項１に記載の発明の効果に加えて、ホールコンピュータの異常情報記憶制御手段は、報知禁止制御手段により異常報知手段による報知が禁止されていても、第二異常情報受信手段が受信した異常情報を異常情報記憶手段に記憶することができる。したがって、受信した異常情報が異常情報記憶手段に記憶されているので、その内容を異常情報表示手段により表示させることができる。よって、報知が行われなくとも、係員は異常情報の内容を知ることができる。
【００１７】
また、請求項３に係る発明の遊技場監視システムでは、請求項１又は２に記載の発明の効果に加えて、監視制御装置の異常情報再送制御手段は、第一異常情報送信手段により管理装置に異常情報を送信できなかった場合には、送信できなかった異常情報を管理装置との通信が成立した際に再度管理装置に送信することができる。したがって、管理装置との通信が成立していない状態で作成された異常情報も確実に管理装置へ送信することができる。そして、その後管理装置からホールコンピュータへ送信されるので、監視制御装置から異常情報が送信できなくとも、その後、ホールコンピュータにおいて異常情報記憶手段に記憶されるので、係員は異常情報の内容を知ることができる。
【００１８】
また、請求項４に係る発明の遊技場監視システムでは、請求項１乃至３のいずれかに記載の発明の効果に加えて、監視制御装置の継続情報作成手段は、第一異常情報送信手段により異常情報を送信してから所定時間経過後において判断手段により異常と判断されている場合に、継続して異常が発生していることを示す継続情報を作成し、第一継続情報送信手段は、継続情報作成手段により作成された継続情報を管理装置に送信することができる。そして、管理装置の第一継続情報受信手段は、第一継続情報送信手段から送信された継続情報を受信し、第二継続情報送信手段は、第一継続情報受信手段が受信した継続情報をホールコンピュータに送信することができる。そして、ホールコンピュータの第二継続情報受信手段は、第二継続情報送信手段から送信された継続情報を受信し、継続報知手段は、第二継続情報受信手段により継続情報を受信した場合に、継続して異常が発生していることを報知し、報知禁止制御手段は、管理装置との通信が開始されてから所定時間が経過するまでの間、報知禁止手段により継続報知手段による継続情報の内容の報知も禁止することができる。したがって、異常が継続して発生していることを係員は知ることができる。そして、ホールコンピュータと管理装置との通信が成立していない状態で発生した多量の継続情報を、通信開始時に多量に受信しても、報知禁止手段により、管理装置との通信が開始されてから所定時間が経過するまでの間は異常の継続の報知が行われないので、多量の報知に伴いホールコンピュータに過度の負荷が掛かることがない。また、多量の報知が、遊技場の係員がホールコンピュータで行う作業の邪魔をすることがない。
【００１９】
また、請求項５に係る発明の遊技機では、請求項１乃至４のいずれかに記載の遊技場監視システムにより監視されるので、管理装置とホールコンピュータとの通信が成立していない状態で発生した異常の内容についても、係員は知ることができる。よって、遊技機は、管理装置をホールコンピュータとの通信が成立していない状態の異常についても係員による処置を受けることができる。
【発明を実施するための最良の形態】
【００２０】
以下、本発明の実施の形態について、一実施の形態を、図面を参照して以下の順で説明する。
１．システム構成の概要説明
２．パチンコ機及びパチンコ機付属機器の説明
３．島管理装置の説明
４．ホールコンピュータの説明
５．ＩＣタグ及びアンテナの説明
６．監視情報の説明
７．ＲＷの動作の説明
８．島管理装置の動作の説明
９．ホールコンピュータの動作の説明
１０．請求項との対比
１１．変形例の説明
【００２１】
１．システム構成の概要説明
まず、図１及び図２を参照して、遊技場監視システムの全体構成について説明する。図１は、遊技場監視システムを示す構成図である。図２は、遊技場監視システムを導入した遊技場内の外観を示す説明図である。
【００２２】
遊技場には、パチンコ機１が設置される設置台である遊技島２００が複数設置されている。遊技島２００では、パチンコ機１が背中合わせに２列に並べられて設置されている。そして、各遊技島２００の内部には、パチンコ機１を監視するための監視制御装置であるリーダライタ（以下、ＲＷと称する）３０が、１台のパチンコ機１に１台ずつ設置されている。また、ＲＷ３０は通信ユニット３００を備えており、遊技島２００の外面、パチンコ機１の前面上部に設置されている。この通信ユニット３００には、ＲＷ３０が外部と通信するための種々のアンテナが備えられている。そして、各通信ユニット３００の上側には、遊技者が個々のパチンコ機１の遊技内容（本日の大当たり回数など）に関する情報を入手するための情報表示器２０１が設置されている。
【００２３】
また、遊技島２００にはそれぞれ１台ずつ島管理装置１００が設置されている。この島管理装置１００は、無線ＬＡＮである店内ネットワーク６５０に接続しており、ＲＷ３０が店内ネットワーク６５０へ接続するためのアクセスポイントとしての機能も有している。島管理装置１００には、ＲＷ３０から受信した監視情報を表示するための表示器１０７と、その監視情報に基づいて点灯される警告ランプ１０８と、表示器１０７の表示を消去及び警告ランプ１０８の消灯を行うためのクリアボタン１０９が設けられている。また、店内ネットワーク６５０には遊技者端末４００及びホールコンピュータ６００も接続している。
【００２４】
かかる遊技場監視システムにおいては、各ＲＷ３０により、各パチンコ機１に設置された後述の監視タグ８６と監視アンテナ６８と（図３〜図５参照）のＲＦＩＤ通信を利用して、両者の通信状態に基づいて開閉部材の開閉状態が監視される。ＲＷ３０は、継続的に監視アンテナ６８から監視タグ８６を呼び出す呼出波を送信しており、予めＲＷ３０に登録されているＩＤコードを含む反射波を送信する監視タグ８６とのＲＦＩＤ通信が成立している状態では、監視場所は閉じられている（正常）と判断される。そして、監視タグ８６と監視アンテナ６８とのＲＦＩＤ通信が断たれた場合や、予めＲＷ３０に登録されている監視タグでないＩＣタグとＲＦＩＤ通信をした場合には異常と判断され、ＲＷ３０から島管理装置１００へ「異常情報」が送信される。
【００２５】
また、遊技場の係員は係員カード５１０を所持している。係員カード５１０は、係員の身分を証明するためのカードである。係員はパチンコ機１の玉詰まりの除去等の作業を行う際に、パチンコ機１の前面枠１１や本体枠１０（図３参照）を開放する。しかしながら、この係員による開放は作業のための開放であり、不正者による不正開放ではない。そこで、係員は係員カード５１０を用いてＲＷ３０に作業を行う旨を認識させる（「認証状態」とさせる）。
【００２６】
この係員カード５１０には、係員を識別可能なＩＤコード（ＩＣタグ固有の識別コード）を記憶したＩＣタグである認証タグ５１１が内蔵されており、ＲＷ３０にはこの認証タグ５１１と通信するための認証アンテナ３０１が備えられ、通信ユニット３００に内蔵されている（図５参照）。そこで、係員は作業を行う前に係員カード５１０を通信ユニット３００に翳す。すると、認証アンテナ３０１と認証タグ５１１とのＲＦＩＤ通信が成立するので、ＲＷ３０は「認証状態」とされ、監視タグ８６と監視アンテナ６８とのＲＦＩＤ通信が断たれても係員による「作業中」であると判断される。そして、島管理装置１００へは「異常情報」でなく、「作業情報」が送信されることとなる。なお、この「認証状態」はパチンコ機１の前面枠１１及び本体枠１０が閉じられた際に解除される。
【００２７】
また、本実施の形態では、異常が発生してから所定時間（例えば、１分）経過しても異常が継続している場合には、「継続情報」が作成される。これは、継続して異常が発生していることを島管理装置１００及びホールコンピュータ６００へ知らせるための情報である。
【００２８】
また、ＲＷ３０から「異常情報」、「継続情報」及び「作業情報」を受信した島管理装置１００は、それらの情報をホールコンピュータ６００へ送信する。そして、各パチンコ機１についての「異常情報」、「継続情報」及び「作業情報」はホールコンピュータ６００において集計、記憶される。さらに、不正開放が行われた際には、その行為に対して係員が対処する必要がある。そこで、「異常情報」又は「継続情報」を受信した島管理装置１００では、自身に設けられているランプ（図示外）を点灯させて、異常の発生を係員に報知する。なお、「作業情報」を受信した際には、報知は行わない。さらに、ホールコンピュータ６００では、「異常情報」及び「継続情報」を受信するとエマージェンシメッセージ画面５００（図１２参照）を表示して、不正行為の発生が係員に報知される。また、「作業情報」を受信した場合には報知動作は行われない。なお、本実施の形態では、「異常情報」、「継続情報」、「作業情報」をまとめて「監視情報」と呼ぶこととする。
【００２９】
なお、このホールコンピュータ６００での「異常情報」及び「継続情報」の報知に関する制御が本発明の要部である。本発明の遊技場監視システムでは、ＲＷ３０は夜間や休日も継続して稼動し、パチンコ機１の監視を行う。しかし、ホールコンピュータ６００や島管理装置１００は、夜間や休日には稼動しない。
【００３０】
したがって、夜間や休日に異常が発生した場合には、ホールコンピュータ６００の稼働が開始された際に島管理装置１００を経由してＲＷ３０から「異常情報」及び「継続情報」が送信されることになる。これらの「監視情報」を受信したホールコンピュータ６００では、受信した「監視情報を記憶するとともに報知が行われる。しかし、「継続情報」は１分ごとに作成されるので、多量の「継続情報」を受信することになり、多量のエマージェンシメッセージ画面５００を表示することとなり、過剰な負荷が掛かることとなる。このような場合に、係員がホールコンピュータ６００において何らかの作業を行おうとしても、エマージェンシメッセージ画面５００が立て続けに表示されることとなるので、ホールコンピュータ６００への入力が行えない状態となってしまう。また、夜間に係員が遊技場内に設置された複数のパチンコ機１の作業を行うような場合、１台１台のパチンコ機１に対して係員カード５１０を翳して認証処理を行うのが手間なため、認証状態とせずに作業を行ってしまうような場合がある。このような場合にも多量の「異常情報」及び「継続情報」が作成されてしまう。
【００３１】
そこで、本発明の遊技場監視システムでは、ホールコンピュータ６００では、島管理装置１００との通信が開始してから所定時間（例えば、１分）を「報知禁止状態」とする。この報知禁止状態では、「異常情報」及び「継続情報」を受信しても、記憶するのみでエマージェンシメッセージ画面５００による報知を行わないようにする。このように、通信開始から所定時間は報知を行わないことにより、ホールコンピュータ６００が稼動していない間にＲＷ３０で作成された「異常情報」及び「継続情報」の報知が行われなくなるので、多量の「異常情報」及び「継続情報」が作成されていたとしても、多量のエマージェンシメッセージ画面５００が表示され続けることがなく、ホールコンピュータ６００に対する過剰な負荷が掛からず、また、係員が他の作業を行うことが可能となる。なお、エマージェンシメッセージ画面５００は表示されないが、受信した「異常情報」及び「継続情報」は監視情報記憶エリア６８１（図７、図１１参照）に記憶されるので、エマージェンシデータ画面５０１（図１３参照）において内容を閲覧することができる。
【００３２】
なお、遊技者は、遊技者を識別可能なＩＤコードを記憶したＩＣタグである遊技者タグ４１１を内蔵した遊技者カード４１０を所有している。この遊技者タグ４１１には、遊技者を識別可能なＩＤコードの他に、その遊技者の過去の遊技情報が記憶されている。遊技者は、遊技を開始する前に、通信ユニット３００に遊技者カード４１０をセットする。通信ユニット３００には、ＲＷ３０が遊技者タグ４１１とＲＦＩＤ通信を行うための遊技者アンテナ３０２（図５参照）が備えられている。そして、ＲＷ３０では、繰り返し遊技者タグ４１１を呼び出す呼出波を送信しており、遊技者タグ４１１とのＲＦＩＤ通信が成立し、遊技者を認識すると、その後のパチンコ機１の遊技情報（打ち込み球数、払出球数、大当たり抽選回数、大当たり回数など）が所定時間（例えば、１分）ごとに遊技者タグ４１１へ送信され、遊技者タグ４１１のＥＥＰＲＯＭ（図示外）に書き込まれる。また、遊技者タグ４１１に書き込まれる遊技情報は、ＲＷ３０から島管理装置１００を経由して、ホールコンピュータ６００へ送信され、集計、記憶される。
【００３３】
また、遊技者端末４００にも、遊技者タグ４１１とＲＦＩＤ通信するためのアンテナが設けられており、遊技者端末４００は遊技者カード４１０（遊技者タグ４１１）に記憶されている遊技情報を読み出すことができる。そこで、遊技者は、遊技者カード４１０を遊技者端末にセットすることにより、記憶されている遊技情報を閲覧することができる。
【００３４】
２．パチンコ機及びパチンコ機付属機器の説明
次に、図３乃至図５を参照して、パチンコ機１について説明する。図３は、パチンコ機１の前面枠１１及び本体枠１０を開いた状態をパチンコ機１の前面から見た斜視図である。図４は、パチンコ機１の背面図である。図５は、パチンコ機１の電気的構成を示すブロック図である。
【００３５】
図３に示すように、パチンコ機１は、機枠１２と、本体枠１０と、前面枠１１とから構成されている。機枠１２は、パチンコ機１を遊技島２００に固定するためのものである。また、本体枠１０は、前面側に遊技領域４を有する遊技盤２、遊技球を貯留するための上皿５や下皿６等を備え、裏面側には機構部としての機構板、パチンコ機１の制御を司る種々の基板等が設置されている。そして前面枠１１は、遊技盤を覆うためのガラス板を保持している。さらに、遊技領域４には、図柄表示装置や各種入賞口等が設けられている。
【００３６】
図４に示すように、パチンコ機１背面の下部には、パチンコ機１の主制御を司る主基板４１を収納した主基板ケース８１、遊技球の払い出しを制御する払出制御基板４５を収容した払出制御基板ケース８２等が配置されている。また、機構板は、遊技球を払い出すための払出装置６７を備えている。
【００３７】
次に、図５を参照してパチンコ機１の主な構成要素の電気的構成について説明する。パチンコ機１には、パチンコ機１の主制御を司る主基板４１、遊技球の払い出しを制御する払出制御基板４５が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とを備えている。また、ＣＰＵ５１は、Ｉ／Ｏインタフェイス５４に接続しており、Ｉ／Ｏインタフェイス５４には払出制御基板４５、遊技情報を出力するための出力ポート５５が接続している。なお、図５には図示しないが、パチンコ機１には、主基板４１、払出制御基板４５の他にも、電源基板、音基板、図柄表示基板、電飾基板、中継基板、発射基板、サブ統合基板等が設けられている。
【００３８】
また、図３及び図４に示すように、監視タグ８６ａ〜８６ｃが主基板ケース８１、機枠１２、前面枠１１に貼り付けられている。そして、主基板ケース８１、機枠１２と本体枠１０、本体枠１０と前面枠１１の開閉の監視が行われている。そして、各監視場所が閉じられた状態において、監視タグ８６と対峙し、ＲＦＩＤ通信が可能な位置に監視アンテナ６８が備えられている。そこで、主基板ケース８１に貼り付けられた監視タグ８６をケースタグ８６ａ、機枠１２に貼り付けられた監視タグ８６を機枠タグ８６ｂ、前面枠１１に貼り付けられた監視タグ８６を前面枠タグ８６ｃとする。なお、ケースタグ８６ａと通信する監視アンテナ６８をケースアンテナ６８ａ（図５参照）、機枠タグ８６ｂと通信する監視アンテナ６８を機枠アンテナ６８ｂ、前面枠タグ８６ｃと通信する監視アンテナ６８を前面枠アンテナ６８ｃとする。なお、主基板４１が収容されている主基板ケース８１を第一監視場所とし、本体枠１０と機枠１２を第二監視場所とし、前面枠１１と本体枠１０を第三監視場所とする。
【００３９】
次に、図５を参照してＲＷ３０について説明する。ＲＷ３０には、ＲＷ３０の制御を司るＣＰＵ３２が設けられている。ＣＰＵ３２にはフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６へ呼出波を送信し、反射波を受信するためのＲａｄｉｏ  Ｆｒｅｑｕｅｎｃｙ回路（以下、ＲＦ回路と称する）３８、時間管理を行うＲｅａｌ  Ｔｉｍｅ  Ｃｌｏｃｋ（以下、ＲＴＣと称する）７１、Ｉ／Ｏインタフェイス３７が接続している。Ｉ／Ｏインタフェイス３７には、パチンコ機１の主基板４１の出力ポート５５と接続する入力ポート３９、島管理装置１００を介して店内ネットワーク６５０に接続するため通信回路３６が接続されている。
【００４０】
そして、ＲＦ回路３８には、係員カード５１０の認証タグ５１１とＲＦＩＤ通信するための認証アンテナ３０１、及び、遊技者カード４１０の遊技者タグ４１１とＲＦＩＤ通信するための遊技者アンテナ３０２がケーブルで接続しており、当該パチンコ機１の前面に設置されている通信ユニット３００内に設けられている。また、パチンコ機１の各監視場所に貼り付けられている監視タグ８６ａ〜８６ｃとＲＦＩＤ通信するための監視アンテナ６８ａ〜６８ｃもＲＦ回路３８に接続している。
【００４１】
３．島管理装置の説明
次に、図６を参照して島管理装置１００について説明する。図６は島管理装置１００の電気的構成を示すブロック図である。図６に示すように、島管理装置１００は、各種の演算を行うＣＰＵ１０１と、各種フラグやデータ等を一時的に記憶するＲＡＭ１０２と、制御プログラム及び各種の初期値のデータ等を記憶したＲＯＭ１０３と、ＲＷ３０から受信した監視情報、パチンコ機１の台番号等の登録情報を記憶したＥＥＰＲＯＭ１０４と、データの受け渡しを行うＩ／Ｏインタフェイス１０５と、店内ネットワーク６５０に接続するための通信回路１０６と、ＲＷ３０から受信した監視情報を表示するための表示器１０７と、その監視情報に基づいて点灯される警告ランプ１０８と、表示器１０７の表示を消去及び警告ランプ１０８の消灯を行うためのクリアボタン１０９とから構成されている。
【００４２】
島管理装置１００の主な機能は監視情報の報知である。ＲＯＭ１０３に格納されている制御プログラムにより、ＲＷ３０から監視情報を受信すると、表示器１０７に「１０１番台、前面枠が不正に開放されています！（１４：４５：０３）」等の障害の発生や回復を示す報知メッセージが表示され、さらに、遊技場の係員の注意を惹くために警告ランプ１０８が点灯される。そして、係員によりクリアボタン１０９が押下されると、報知メッセージが消され、警告ランプ１０８が消灯される。また、受信した監視情報は、自身で報知のためのデータとして使用されるとともに、受信の都度、ホールコンピュータ６００へ送信もされる。この島管理装置１００は、遊技場の営業が開始される前に起動され、遊技場の営業が終了した後にパワーオフされる。
【００４３】
４．ホールコンピュータの説明
次に、ホールコンピュータ６００について説明する。図７は、ホールコンピュータ６００の電気的構成を示すブロック図である。図７に示すように、ホールコンピュータ６００には、ホールコンピュータ６００の制御を司るＣＰＵ６０１が設けられ、ＣＰＵ６０１には、各種のデータを一時的に記憶するＲＡＭ６０２と、ＢＩＯＳ等を記憶したＲＯＭ６０３と、データの受け渡しの仲介を行うＩ／Ｏインタフェイス６０４とが接続されている。Ｉ／Ｏインタフェイス６０４には、ハードディスク装置６８０が接続され、当該ハードディスク装置６８０には、監視情報記憶エリア６８１と、遊技情報記憶エリア６８２と、プログラム記憶エリア６８３と、その他の情報記憶エリア６８４とが設けられている。
【００４４】
なお、監視情報記憶エリア６８１には、遊技場内の全てのパチンコ機１の監視情報が記憶されており（図１１参照）、遊技情報記憶エリア６８２には、遊技場内の全てのパチンコ機１の遊技情報が記憶されており、プログラム記憶エリア６８３には、ＣＰＵ６０１で実行されるプログラムが記憶されており、その他の情報記憶エリア６８４には、監視に関する種々の設定情報やパチンコ機１に関する情報などが記憶されている。
【００４５】
また、Ｉ／Ｏインタフェイス６０４には、通信装置６０８と、マウス６３３と、ビデオコントローラ６１４と、キーコントローラ６１５と、ＣＤ−ＲＯＭドライブ６１６と、ＦＤドライブ６１７とが接続され、ビデオコントローラ６１４にはディスプレイ６３４が接続され、キーコントローラ６１５にはキーボード６３５が接続されている。そして、通信装置６０８は店内ネットワーク６５０に接続可能となっている。なお、ＣＤ−ＲＯＭドライブ６１６に挿入されるＣＤ−ＲＯＭ６３６には、制御プログラムが記憶されており、導入時に、印刷データ編集プログラムは、ＣＤ−ＲＯＭ６３６からハードディスク装置６８０にセットアップされてプログラム記憶エリア６８３に記憶されるようになっている。また、ＦＤドライブ６１７では、フレキシブルディスク６３７の読み取りや書き込みが可能となっている。
【００４６】
５．ＩＣタグ及びアンテナの説明
次に、監視タグ８６、遊技者タグ４１１、認証タグ５１１について説明する。監視タグ８６、遊技者タグ４１１、認証タグ５１１は１３．５６ＭＨｚの短波帯でＲＦＩＤ通信を行うＩＣタグである。
【００４７】
例えば、主基板ケース８１は上蓋部及び下蓋部の中に主基板４１が収納され、上蓋部と下蓋部とは開かないようにかしめられている。そして、ケースアンテナ６８ａは主基板ケース８１の下蓋部に設置されており、ケースタグ８６ａは上蓋部に設置されている。そして、ケースアンテナ６８ａとケースタグ８６ａとの距離は、主基板ケース８１の上蓋部と下蓋部を組み付けた状態で約３ｍｍになるように配置されている。この距離間ではＲＦＩＤ通信が可能であり、ケースアンテナ６８ａとケースタグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。
【００４８】
また、機枠タグ８６ｂと機枠アンテナ６８ｂとの通信可能距離についても、機枠１２と本体枠１０とを閉じた状態では通信可能となり、少しでも開けられた状態（例えば、５ｍｍを超えた状態）では通信不能となるように、機枠アンテナ６８ｂのコイルの巻き数やリアクタンス値の調節が行われている。そして、前面枠タグ８６ｃと前面枠アンテナ６８ｃとの通信可能距離についても、前面枠１１と本体枠１０とを閉じた状態では通信可能となり、少しでも開けられた状態（例えば、３ｍｍを超えた状態）では通信不能となるように、前面枠アンテナ６８ｃのコイルの巻き数やリアクタンス値の調節が行われている。
【００４９】
また、認証アンテナ３０１及び遊技者アンテナ３０２は通信ユニット３００の内部に設置されている。そして、係員が係員カード５１０を翳すと、認証タグ５１１とＲＦＩＤ通信を行う。また、通信ユニット３００は遊技者カード４１０を保持できるように、その上面にカード差込口が設けられている。そして、遊技者カード４１０がカード差込口に挿入された状態でＲＦＩＤ通信が可能なようにコイルの巻き数やリアクタンス値の調節が行われている。
【００５０】
６．監視情報の説明
次に、図８乃至図１１を参照して、監視情報について説明する。図８は、２００５年８月１０日の台番号５２８のパチンコ機１に設置されているＲＷ３０の監視情報３５１であり、図９は、２００５年８月１０日の台番号８０２のパチンコ機１に設置されているＲＷ３０の監視情報３５１であり、図１０は、島管理装置１００のＥＥＰＲＯＭ１０４に設けられている監視情報記憶エリア１０４１の構成を示す模式図であり、図１１は、ホールコンピュータ６００の監視情報記憶エリア６８１の構成を示す模式図である。ＲＷ３０で作成された監視情報は、島管理装置１００へ送信され、さらにホールコンピュータ６００へ送信される。そして、島管理装置１００及びホールコンピュータ６００では、監視情報が異常情報又は継続情報であれば異常の発生が報知される。
【００５１】
図８乃至図１１に示すように、監視情報記憶エリア３５１，１０４１，６８１には、島番号欄、台番号欄、日付欄、時刻欄、区分欄、監視場所欄、内容欄、状態欄、ＩＤコード欄が設けられており、ＲＷ３０の監視情報記憶エリア３５１及び島管理装置１００の監視情報記憶エリア１０４１には送信欄も設けられている。
【００５２】
島番号欄には異常が発生したパチンコ機１の設置されている遊技島２００の番号がセットされ、台番号欄には異常が発生したパチンコ機１の台番号がセットされ、日付欄及び時刻欄には、異常が発生した日時がセットされる。そして、区分欄には監視情報の種類を示すコードがセットされる。本実施の形態では異常情報では「１」、作業情報では「２」、継続情報では「３」である。そして、監視場所欄には、異常が発生した監視場所を示すコードがセットされる。本実施の形態では、主基板４１が収容されている主基板ケース８１（第一監視場所）が「１」、本体枠１０と機枠１２（第二監視場所）が「２」、前面枠１１と本体枠１０（第三監視場所）が「３」である。そして、内容欄には異常の種類がセットされる。監視タグが応答しない「応答エラー」では「１」、ＩＤの異なる監視タグと更新した「ＩＤエラー」では「２」である。そして、状態欄には異常の発生であるか回復であるかを示すコードがセットされる。本実施の形態では発生は「１」、回復は「２」である。そして、ＩＤコード欄には認証状態とした認証タグ５１１のＩＤがセットされる。
【００５３】
そして、送信欄には当該監視情報の送信（ＲＷ３０であれば島管理装置１００への送信、島管理装置１００であればホールコンピュータ６００への送信）が正常に行われたか否かを示すコードがセットされる。本実施の形態では、送信が正常に行われた場合には「１」、送信が正常に行われず再送信を行う必要がある場合には「０」がセットされる。
【００５４】
図８に示すように、台番号５２８のパチンコ機１に設置されているＲＷ３０の監視情報記憶エリア３５１では、島番号「１」、台番号「５２８」のパチンコ機１において、２００５年８月１０日の１９：０８：４６に第三監視場所（前面枠１１と本体枠１０）に応答エラーが発生していることを示す作業情報が作成されており、１９：０９：３２に第二監視場所（本体枠１０と機枠１２）に応答エラーが発生していることを示す作業情報が作成されており、１９：１１：１４に第二監視場所に応答エラーが回復したことを示す作業情報が作成されており、１９：１１：１６に第三監視場所に応答エラーが回復したことを示す作業情報が作成されている。これらの作業はＩＤコード「８４Ｔ６Ｒ８５４６Ｒ８４Ｒ５９Ｔ」の認証タグ５１１の係員によるものである。そして、この時間帯はまだ遊技場の営業時間内であるので、島管理装置１００は稼動しており、ＲＷ３０と島管理装置１００との通信は成立している。そこで、これらの作業情報の送信欄は「１」となっており、島管理装置１００への送信が正常に行われたことがわかる。なお、１９：０８：４６より前の監視情報については省略されている。
【００５５】
そして、図９に示すように、台番号８０２のパチンコ機１に設置されているＲＷ３０の監視情報記憶エリア３５１では、島番号「１５」、台番号「８０２」のパチンコ機１において、２００５年８月１０日の２２：２３：０８に第三監視場所に応答エラーが発生していることを示す作業情報が作成されており、２２：２３：１１に第二監視場所に応答エラーが発生していることを示す作業情報が作成されており、２２：２４：０８に第三監視場所に応答エラーが発生していることを示す継続情報が作成されており、２２：２４：１１に第二監視場所に応答エラーが発生していることを示す継続情報が作成されており、２２：２５：０８に第三監視場所に応答エラーが発生していることを示す継続情報が作成されており、２２：２５：１１に第二監視場所に応答エラーが発生していることを示す継続情報が作成されており、２２：２５：３１に第二監視場所に応答エラーが回復したことを示す作業情報が作成されており、２２：２５：３５に第三監視場所に応答エラーが回復したことを示す作業情報が作成されている。これらの作業はＩＤコード「１Ｔ５ＥＲＴ８ＥＲ７ＴＥ５５６５」の認証タグ５１１の係員によるものである。しかしながら、この時間帯は遊技場の営業時間外であるので、島管理装置１００は稼動していない。そこで、ＲＷ３０と島管理装置１００との通信は成立しておらず、これらの作業情報の送信欄は「０」となっており、島管理装置１００への送信が行われていないことがわかる。なお、２２：２３：０８より前の監視情報については省略されている。
【００５６】
そして、図１０に示すように、島管理装置１００の監視情報記憶エリア１０４１では、２００５年８月１０日の１９：１１：１６までの島番号「１」、台番号「５２８」のパチンコ機１の監視情報は記憶されているが、２００５年８月１０日の２２：２３：０８の作業情報から２２：２５：３５の作業情報までの島番号「１５」、台番号「８０２」のパチンコ機１の監視情報は記憶されていない。これは、これらの監視情報が発生した時間に島管理装置１００が稼働していないためにＲＷ３０から受信していないためである。
【００５７】
また、図１１に示すように、ホールコンピュータ６００の監視情報記憶エリア６８１においても同様に、２００５年８月１０日の１９：１１：１６までの島番号「１」、台番号「５２８」のパチンコ機１の監視情報は記憶されているが、２００５年８月１０日の２２：２３：０８の作業情報から２２：２５：３５の作業情報までの島番号「１５」、台番号「８０２」のパチンコ機１の監視情報は記憶されていない。これは、島管理装置１００が稼働していないために、ＲＷ３０からこれらの監視情報を受信せず、よってホールコンピュータ６００へも送信していないためである。これらの監視情報は、島管理装置１００の稼働が開始され、ＲＷ３０と島管理装置１００との通信が成立した時点でＲＷ３０から島管理装置１００へ送信される。そして、島管理装置１００からホールコンピュータ６００へ送信される。
【００５８】
次に、図１２及び図１３を参照して、ホールコンピュータ６００に表示される報知画面について説明する。図１２は、エマージェンシメッセージ画面５００のイメージ図であり、図１３は、エマージェンシデータ画面５０１のイメージ図である。
【００５９】
エマージェンシメッセージ画面５００は、異常情報又は継続情報を受信した際にポップアップ表示され、係員へ異常発生や異常の継続を報知するための画面である。図１２に示すように、異常が発生したパチンコ機１の台番号と、発生日時、異常の内容が表示されている。また、パチンコ機１の異常が回復した際に選択するための復帰ボタンが設けられており、復帰ボタンが選択されると当該エマージェンシメッセージ画面５００は閉じられる。なお、このエマージェンシメッセージ画面５００は、報知禁止状態においては、監視情報を受信しても表示されない。図１２に示す例では、台番号１０１のパチンコ機１において、２００５年８月１０日の１４：４５：０３に前面枠１１に異常が発生していることが報知されている。
【００６０】
エマージェンシデータ画面５０１は、監視情報の一覧を示す画面であり、図１３に示すように、島番号選択コンボボックス、台番号選択コンボボックス、表示ボタン、終了ボタン、一覧表示欄が設けられている。一覧表示欄には監視情報記憶エリア６８１に記憶されている監視情報が表示される。そして、島番号選択コンボボックスで島番号を選択すると、その島番号の遊技島２００に設置されているパチンコ機１の監視情報のみが表示され、台番号選択コンボボックスで台番号を選択すると、その台番号のパチンコ機１の監視情報のみが表示される。また、一覧表示欄の１つの行を選択して表示ボタンを選択すると、その監視情報のパチンコ機１に関するその他の情報が表示される。
【００６１】
図１３に示す例では、島番号や台番号は選択されていないので、遊技場の全てのパチンコ機１の異常情報及び作業情報が表示されている。一覧表示欄の１，２行目は、区分欄が「１」であり異常情報であることがわかる。さらに、タグＩＤ欄に認証タグ５１１のＩＤコードが登録されていないことからも作業情報でなく異常情報であることがわかり、島番号３番の台番号１５６番のパチンコ機１で前面枠１１が１４：４５：０３に開けられ、１４：４５：１５に閉じられたことがわかる。そして、３行目以降の情報は区分欄が「２」であることから、作業情報であることがわかり、島番号１番の台番号５２８番のパチンコ機１で１９：０８：４６に前面枠１１が開けられ、１９：０９：３２に本体枠１０が開けられ、１９：１１：１４に本体枠１０が閉められ、１９：１１：１６に前面枠１１が閉められたという作業がタグＩＤ「８４Ｔ６Ｒ８５４６Ｒ８４Ｒ５９Ｔ」という認証タグ５１１を所有する係員により行われたことがわかる。そして、島番号１５番、台番号８０２番のパチンコ機１で２２：２３：０８に前面枠１１が開けられ、２２：２３：１１に本体枠１０が開けられ、２２：２５：３１に本体枠１０が閉められ、２２：２５：３５に前面枠１１が閉められたという作業がタグＩＤ「１Ｔ５ＥＲＴ８ＥＲ７ＴＥ５５６５」という認証タグ５１１を所有する係員により行われたことがわかる。
【００６２】
７．ＲＷの動作の説明
次に、図１４乃至図１７のフローチャートを参照して、ＲＷ３０の動作の説明を行う。図１４は、ＲＷ３０で行われるメイン処理のフローチャートであり、図１５は、メイン処理の中で行われる監視処理のフローチャートであり、図１６は、監視処理の中で行われる発生処理のフローチャートであり、図１７は、監視処理の中で行われる回復処理のフローチャートである。
【００６３】
図１４に示すように、まず、各エラーフラグ及び経過時間カウンタに初期値の「０」がセットされる等の初期処理が行われる（Ｓ１）。エラーフラグは、「０」が記憶されている場合には監視タグ８６との通信が正常に行われており、「１」が記憶されている場合には監視タグ８６との通信が正常に行われていないこと、つまり異常が発生していることを示している。そして、第一監視場所〜第三監視場所毎に応答エラーフラグ及びＩＤエラーフラグが設けられている。なお、応答エラーは監視アンテナ６８から送信された呼出波に対して、監視タグ８６が反射波を返信してこなかった場合を示し、ＩＤエラーは反射波に含まれているＩＤコードが予め登録されているものと異なっている場合を示している。また、経過時間カウンタは、異常が発生して監視情報を送信してからの経過時間を計測するための時間カウンタであり、０より大きい値の場合に所定時間（例えば、０．２ｍｓ）ごとに減算されて、経過時間が計測される。
【００６４】
そして、島管理装置１００との通信が行える状態であるか否かの確認処理が行われる（Ｓ２）。そして、通信が成立していれば（Ｓ３：ＹＥＳ）、送信されていない監視情報があるか否かの判断が行われる（Ｓ４）。監視情報記憶エリア３５１の送信欄が「０」であるデータが存在すれば、未送信の監視情報があるので（Ｓ４：ＹＥＳ）、それらの未送信の監視情報が島管理装置１００へ送信される（Ｓ５）。なお、通信が成立していなければ（Ｓ３：ＮＯ）、未送信の監視情報の送信は行われず、未送信監視情報がない場合にも（Ｓ４：ＮＯ）、未送信の監視情報の送信は行われず、Ｓ８へ進む。
【００６５】
そして、認証処理が行われる（Ｓ８）。この認証処理では、認証アンテナ３０１から呼出波を送信して、係員カード５１０とＲＦＩＤ通信が成立する場合には「認証状態」とされる。また、認証状態とされた場合には所定時間（例えば、２０秒）経過後、前面枠１１、本体枠１０、木枠枠１２が閉じられれば（第二監視場所，３が正常であれば）、認証状態は解除される。次いで、主基板ケース８１（第一監視場所）（Ｓ９）、本体枠１０と機枠１２（第二監視場所）（Ｓ１０）、前面枠１１と本体枠１０（第三監視場所）（Ｓ１１）の順で監視が行われる。この監視処理において、どの監視場所の監視処理を行うのかの情報は、監視場所を示す番号を用いて監視処理に指示されている。そして、Ｓ２へ戻り、繰り返し、未送信の監視情報の送信のための処理（Ｓ２〜Ｓ５）、認証処理（Ｓ８）、監視処理（Ｓ９〜Ｓ１１）が行われる。
【００６６】
次に、図１５及び図１６を参照して、監視処理について詳述する。この監視処理では、メイン処理から指定された監視場所の監視アンテナ６８から呼出波が送信され、予め登録されているＩＤコードの監視タグ８６とＲＦＩＤ通信が成立すれば、その監視場所は「正常」であるとされ、ＲＦＩＤ通信が成立しなければ「異常」とされる。そして、「異常」とされた場合には、「異常情報」が作成され、経過時間の計測が開始される。また、「異常」が回復した際には異常の回復を示す「異常情報」が作成、送信される。また、「異常」と判断されても「認証状態」であれば、それは係員による作業であると判断され、「作業情報」が作成される。同様に「異常」の回復においても「認証状態」であれば、「作業情報」が作成される。また、異常情報が送信されてから所定時間（例えば、１分）が経過しても、「異常」が回復指定ない場合には「異常」が継続していることを示す「継続情報」が送信される。
【００６７】
まず、監視アンテナ６８から呼出波が送信される（Ｓ４１）。そして、所定時間（例えば、５秒）以内に監視タグ８６から反射波を受信するか否かの判断が行われる（Ｓ４２）。反射波を受信したら（Ｓ４２：ＹＥＳ）、ＩＤコードが予めＥＥＰＲＯＭ３５の監視ＩＤコード記憶エリアに記憶されているＩＤコードと一致するか否かの判断が行われる（Ｓ４４）。ＩＤコードが一致していれば（Ｓ４４：ＹＥＳ）、「正常」と判断される。そこで、現在エラー中であれば回復の処理をする必要があるので、応答エラーフラグがＯＮであるか否かの判断（Ｓ４６）、ＩＤエラーフラグがＯＮであるか否かの判断（Ｓ４８）が行われる。応答エラー中でも、ＩＤエラー中でもなければ（Ｓ４６：ＮＯ，Ｓ４８：ＮＯ）、正常な状態が継続しているので、そのままメイン処理へ戻る。
【００６８】
また、異常（開放）が発生しており、監視タグ８６から反射波の返送がなければ（Ｓ４２：ＮＯ）、「異常」と判断され「応答エラー」となる。そこで、発生処理が行われる（Ｓ４３）。この発生処理では、図１６に示すように、まず、すでに応答エラーとなっているか否かが、応答エラーフラグがＯＮであるか否かにより判断される（Ｓ６１）。すでに応答エラーとなっていなければ（Ｓ６１：ＮＯ）、応答エラーに対する処理を行う必要がある。そこで、応答エラーフラグがＯＮとされる（Ｓ６２）。そして、認証フラグがＯＮであるか否かにより、認証状態であるか否かの判断が行われる（Ｓ６３）。認証状態であれば（Ｓ６３：ＹＥＳ）、作業中であることを示す作業情報が作成されて監視情報記憶エリア３５１に記憶され（Ｓ６５）、認証状態でなければ（Ｓ６３：ＮＯ）、異常が発生中であることを示す異常情報が作成されて監視情報記憶エリア３５１に記憶される（Ｓ６４）。
【００６９】
そして、Ｓ６４，Ｓ６５で作成された異常情報又は作業情報が監視情報として島管理装置１００へ送信される（Ｓ６９）。島管理装置１００からアクノリッジ（受信完了信号）が送信されてきたら、監視情報が島管理装置１００へ正常に送信できているので（Ｓ７０：ＹＥＳ）、当該監視情報の送信欄に「１」がセットされる（Ｓ７１）。また、アクノリッジが送信されてこない場合には、正常に監視情報が送信できていないので（Ｓ７０：ＮＯ）、送信欄には「０」がセットされる（Ｓ７２）。そして、経過時間カウンタに１分を計測するための値（０．２ｍｓごとに１減算される場合は、３０００００）がセットされ（Ｓ７３）、監視処理へ戻り、メイン処理へ戻る。
【００７０】
そして、再び、当該監視場所の監視処理（図１５参照）が実施されて、異常（開放）が継続した場合には、監視アンテナ６８から呼出波が送信されても（Ｓ４１）、反射波の応答がない（Ｓ４２：ＮＯ）。そこで、発生処理（図１６参照）において、応答エラーフラグはＯＮであると判断される（Ｓ６１：ＹＥＳ）。そして、まだ１分が経過していないので（Ｓ６６：ＮＯ）、そのまま監視処理へ戻り、メイン処理へ戻る。
【００７１】
そして、メイン処理（図１４参照）が繰り返し実施されて、異常（開放）が継続したまま１分が経過した際には、監視処理において、監視アンテナ６８から呼出波が送信されても（Ｓ４１）、反射波の応答がなく（Ｓ４２：ＮＯ）、発生処理において、応答エラーフラグはＯＮであり（Ｓ６１：ＹＥＳ）、１分が経過したと判断される（Ｓ６６：ＹＥＳ）。そこで、認証状態でなければ（Ｓ６７：ＮＯ）、継続情報が作成されて監視情報記憶エリア３５１に記憶され（Ｓ６８）、継続情報が監視情報として島管理装置１００へ送信される（Ｓ６９）。島管理装置１００からアクノリッジ（受信完了信号）が送信されてきたら、監視情報が島管理装置１００へ正常に送信できているので（Ｓ７０：ＹＥＳ）、当該監視情報の送信欄に「１」がセットされる（Ｓ７１）。また、アクノリッジが送信されてこない場合には、正常に監視情報が送信できていないので（Ｓ７０：ＮＯ）、送信欄には「０」がセットされる（Ｓ７２）。なお、認証状態であれば（Ｓ６７：ＹＥＳ）、係員の作業中であるので継続情報は作成されない。そこで、そのままＳ７３へ進む。そして、経過時間カウンタに１分を示す値がセットされ（Ｓ７３）、監視処理へ戻り、メイン処理へ戻る。
【００７２】
また、応答エラー中に「正常」に回復した場合には（Ｓ４１，Ｓ４２：ＹＥＳ，Ｓ４４：ＹＥＳ）、応答エラーフラグがＯＮとなっている（Ｓ４６：ＹＥＳ）。そこで、回復処理が行われる（Ｓ４７）。図１７に示すように、回復処理では、まず、応答エラーフラグがＯＦＦされ（Ｓ８１）、そして、認証フラグがＯＮであるか否かにより、認証状態であるか否かの判断が行われる（Ｓ８２）。認証状態であれば（Ｓ８２：ＹＥＳ）、作業が終了したことを示す作業情報が作成されて監視情報記憶エリア３５１に記憶され（Ｓ８４）、認証状態でなければ（Ｓ８２：ＮＯ）、異常が回復したことを示す異常情報が作成されて監視情報記憶エリア３５１に記憶される（Ｓ８３）。そして、Ｓ８３，Ｓ８４で作成された異常情報又は作業情報が監視情報として島管理装置１００へ送信される（Ｓ８５）。そして、島管理装置１００からアクノリッジ（受信完了信号）が送信されてきたら、監視情報が島管理装置１００へ正常に送信できているので（Ｓ８６：ＹＥＳ）、当該監視情報の送信欄に「１」がセットされる（Ｓ８７）。また、アクノリッジが送信されてこない場合には、正常に監視情報が送信できていないので（Ｓ８６：ＮＯ）、送信欄には「０」がセットされる（Ｓ８８）。そして、監視処理へ戻り、メイン処理へ戻る。
【００７３】
このようにして、応答エラーが発生した際には、発生を示す異常情報または作業情報が作成、送信され、１分以上異常が継続した場合には継続情報が作成、送信され、応答エラーが回復した際には回復を示す異常情報または作業情報が作成、送信される。また、監視情報が島管理装置１００へ正常に送信できなかった場合には、島管理装置１００との通信が成立した時点で再送信が行われる。
【００７４】
また、監視アンテナ６８からの呼出波の送信に対して（Ｓ４１）、反射波を受信しても（Ｓ４２：ＹＥＳ）、反射波に含まれているＩＤコードが予め登録されているものでなかった場合には（Ｓ４４：ＮＯ）、「異常」と判断され「ＩＤエラー」となる。そこで、発生処理が行われる（Ｓ４５）。図１６に示すように、発生処理では、すでにＩＤエラーとなっているか否かが、ＩＤエラーフラグがＯＮであるか否かにより判断される（Ｓ６１）。すでにＩＤエラーとなっていなければ（Ｓ６１：ＮＯ）、ＩＤエラーに対する処理を行う必要がある。そこで、ＩＤエラーフラグがＯＮとされ（Ｓ６２）、そして、認証フラグがＯＮであるか否かにより、認証状態であるか否かの判断が行われる（Ｓ６３）。認証状態であれば（Ｓ６３：ＹＥＳ）、作業中であることを示す作業情報が作成されて監視情報記憶エリア３５１に記憶され（Ｓ６５）、認証状態でなければ（Ｓ６３：ＮＯ）、異常が発生中であることを示す異常情報が作成されて監視情報記憶エリア３５１に記憶される（Ｓ６４）。
【００７５】
そして、Ｓ６４，Ｓ６５で作成された異常情報又は作業情報が監視情報として島管理装置１００へ送信される（Ｓ６９）。島管理装置１００からアクノリッジ（受信完了信号）が送信されてきたら、監視情報が島管理装置１００へ正常に送信できているので（Ｓ７０：ＹＥＳ）、当該監視情報の送信欄に「１」がセットされる（Ｓ７１）。また、アクノリッジが送信されてこない場合には、正常に監視情報が送信できていないので（Ｓ７０：ＮＯ）、送信欄には「０」がセットされる（Ｓ７２）。そして、経過時間カウンタに１分を計測するための値がセットされ（Ｓ７３）、監視処理へ戻り、メイン処理へ戻る。
【００７６】
そして、再び、当該監視場所の監視処理が実施されて、異常（ＩＤ相違）が継続した場合には、監視アンテナ６８から呼出波が送信され（Ｓ４１）、反射波を受信しても（Ｓ４２：ＹＥＳ）、反射波に含まれているＩＤコードが予め登録されているものでないと判断される（Ｓ４４：ＮＯ）。そこで、発生処理（図１６参照）において、ＩＤエラーフラグはＯＮであると判断される（Ｓ６１：ＹＥＳ）。まだ１分が経過していないので（Ｓ６６：ＮＯ）、そのまま監視処理へ戻り、メイン処理へ戻る。
【００７７】
そして、メイン処理が繰り返し実施されて、異常（ＩＤ相違）が継続した場合には、監視アンテナ６８から呼出波が送信され（Ｓ４１）、反射波を受信しても（Ｓ４２：ＹＥＳ）、反射波に含まれているＩＤコードが予め登録されているものでなく（Ｓ４４：ＮＯ）、発生処理において、ＩＤエラーフラグはＯＮであり（Ｓ６１：ＹＥＳ）、１分が経過したと判断される（Ｓ６６：ＹＥＳ）。そこで、認証状態でなければ（Ｓ６７：ＮＯ）、継続情報が作成されて監視情報記憶エリア３５１に記憶され（Ｓ６８）、継続情報が監視情報として島管理装置１００へ送信され（Ｓ６９）、島管理装置１００からアクノリッジ（受信完了信号）が送信されてきたら、監視情報が島管理装置１００へ正常に送信できているので（Ｓ７０：ＹＥＳ）、当該監視情報の送信欄に「１」がセットされる（Ｓ７１）。また、アクノリッジが送信されてこない場合には、正常に監視情報が送信できていないので（Ｓ７０：ＮＯ）、送信欄には「０」がセットされる（Ｓ７２）。なお、認証状態であれば（Ｓ６７：ＹＥＳ）、係員の作業中であるので継続情報は作成されない。そこで、そのままＳ７３へ進む。そして、経過時間カウンタに１分を示す値がセットされ（Ｓ７３）、監視処理へ戻り、メイン処理へ戻る。
【００７８】
また、ＩＤエラー中に「正常」に回復した場合には（Ｓ４１，Ｓ４２：ＹＥＳ，Ｓ４４：ＹＥＳ，Ｓ４６：ＮＯ）、ＩＤエラーフラグがＯＮとなっている（Ｓ４８：ＹＥＳ）。そこで、回復処理が行われる（Ｓ４９）。図１７に示すように、回復処理では、まず、ＩＤエラーフラグがＯＦＦされ（Ｓ８１）、そして、認証フラグがＯＮであるか否かにより、認証状態であるか否かの判断が行われる（Ｓ８２）。認証状態であれば（Ｓ８２：ＹＥＳ）、作業が終了したことを示す作業情報が作成されて監視情報記憶エリア３５１に記憶され（Ｓ８４）、認証状態でなければ（Ｓ８２：ＮＯ）、異常が回復したことを示す異常情報が作成されて監視情報記憶エリア３５１に記憶される（Ｓ８３）。そして、Ｓ８３，Ｓ８４で作成された異常情報又は作業情報が監視情報として島管理装置１００へ送信される（Ｓ８５）。そして、島管理装置１００からアクノリッジ（受信完了信号）が送信されてきたら、監視情報が島管理装置１００へ正常に送信できているので（Ｓ８６：ＹＥＳ）、当該監視情報の送信欄に「１」がセットされる（Ｓ８７）。また、アクノリッジが送信されてこない場合には、正常に監視情報が送信できていないので（Ｓ８６：ＮＯ）、送信欄には「０」がセットされる（Ｓ８８）。そして、監視処理へ戻り、メイン処理へ戻る。
【００７９】
このようにして、ＩＤエラーが発生した際には、発生を示す異常情報または作業情報が作成、送信され、１分以上異常が継続した場合には継続情報が作成、送信され、応答エラーが回復した際には回復を示す異常情報又は作業情報が作成、送信される。また、監視情報が島管理装置１００へ正常に送信できなかった場合には、島管理装置１００との通信が成立した時点で再送信が行われる。
【００８０】
８．島管理装置の動作の説明
次に、図１８を参照して、島管理装置１００で行われる島管理装置処理について説明する。図１８は島管理装置処理のフローチャートである。図１８に示す処理は、島管理装置１００が起動され、初期処理等が終了すると開始される。
【００８１】
まず、ホールコンピュータ６００との通信が成立するか否かの確認が行われる（Ｓ１０１）。そして、通信が成立していれば（Ｓ１０１：ＹＥＳ）、送信されていない監視情報があるか否かの判断が行われる（Ｓ１０２）。監視情報記憶エリア１０４１の送信欄が「０」であるデータが存在すれば、未送信の監視情報があるので（Ｓ１０２：ＹＥＳ）、それらの未送信の監視情報がホールコンピュータ６００へ送信される（Ｓ１０３）。なお、通信が成立していなければ（Ｓ１０１：ＮＯ）、未送信の監視情報の送信は行われない。また、未送信の監視情報がなければ（Ｓ１０２：ＮＯ）、未送信の監視情報の送信は行われない。
【００８２】
そして、島管理装置１００から監視情報を受信したか否かの判断が行われる（Ｓ１０４）。監視情報を受信した場合には（Ｓ１０４：ＹＥＳ）、受信した監視情報の区分欄が「１」であり異常情報であれば（Ｓ１０５：ＹＥＳ）、監視情報記憶エリア１０４１に監視情報が記憶され（Ｓ１０７）、表示器１０７及び警告ランプ１０８に異常発生が報知される（Ｓ１０８）。また、受信した監視情報の区分欄が「２」であり作業情報であれば（Ｓ１０５：ＮＯ，Ｓ１０６：ＹＥＳ）、監視情報記憶エリア１０４１に監視情報が記憶されるのみで（Ｓ１０９）、報知は行われない。また、受信した監視情報の区分欄が「３」であり継続情報であれば（Ｓ１０５：ＮＯ，Ｓ１０６：ＮＯ）、監視情報記憶エリア１０４１に監視情報は記憶されず、表示器１０７及び警告ランプ１０８での異常発生の報知のみが行われる（Ｓ１１０）。
【００８３】
そして、ホールコンピュータ６００へ監視情報が送信される（Ｓ１１１）。そして、ホールコンピュータ６００からアクノリッジ（受信完了信号）が送信されてきたら、監視情報がホールコンピュータ６００へ正常に送信できているので（Ｓ１１２：ＹＥＳ）、当該監視情報の送信欄に「１」がセットされる（Ｓ１１３）。そして、Ｓ１０１へ戻る。また、アクノリッジが送信されてこない場合には、正常に監視情報が送信できていないので（Ｓ１１２：ＮＯ）、この監視情報を後に再送信する必要がある。そこで、Ｓ１０４で受信した監視情報が継続情報である場合には（Ｓ１１４：ＹＥＳ）、監視情報記憶エリア１０４１に情報が記憶されていないので、監視情報記憶エリア１０４１に継続情報が記憶される（Ｓ１１５）。しかし、継続情報でない場合には（１１４：ＮＯ）、すでに監視情報記憶エリア１０３１に情報が記憶されているのでなにもしない。そして、監視情報がいずれの情報である場合にも監視情報記憶エリア１０４１の送信欄に「０」がセットされる（Ｓ１１６）。そして、Ｓ１０１へ戻る。
【００８４】
なお、監視情報を受信していない場合には（Ｓ１０４：ＮＯ）、その他の島管理装置１００の処理（例えば、報知の停止処理や各種設定処理など）が行われ（Ｓ１１７）、Ｓ１０１へ戻る。
【００８５】
このようにして、島管理装置１００は、ＲＷ３０から監視情報を受信すると、ホールコンピュータ６００へ受信した監視情報を送信し、異常情報又は作業情報である場合には報知を行っている。また、ホールコンピュータ６００との通信が成立していない場合には、未送信監視情報として管理し、ホールコンピュータ６００との通信が成立した時点で再送信を行っている。
【００８６】
９．ホールコンピュータの動作の説明
次に、図１９及び図２０を参照して、ホールコンピュータ６００で行われる処理について説明する。図１９は、ホールコンピュータ処理のフローチャートであり、図２０は、ホールコンピュータ処理の中で行われる受信処理のフローチャートである。図１９に示す処理は、ホールコンピュータ６００が起動されると開始される。
【００８７】
本処理では、報知禁止状態フラグ、経過時間カウンタが使用される。報知禁止状態フラグは、島管理装置１００との通信が成立してから所定時間（本実施の形態では１分間）を報知禁止状態とし、この間には監視情報を受信したとしても、エマージェンシメッセージ画面５００をポップアップさせて異常発生の報知は行わない。なお、報知禁止状態フラグは報知禁止状態では「１」が記憶されてＯＮとされ、報知禁止状態でない場合には「０」が記憶されてＯＦＦとされている。また、経過時間カウンタは、報知禁止状態の経過時間を計測するためのタイマカウンタであり、図示外の時間管理プログラムにより所定時間（例えば、０．２ｍｓごとに１ずつ減算され、「０」となったことで時間が経過したと判断される。なお報知禁止状態フラグの初期値はＯＦＦ，経過時間カウンタの初期値は「０」である。
【００８８】
まず、経過時間カウンタに１０秒を計測するための値がセットされ（Ｓ２０１）、報知禁止状態フラグがＯＮとされる（Ｓ２０２）。そして、遊技場に設置されている各島管理装置１００との通信を開始させる処理が行われる（Ｓ２０３）。そして、報知禁止状態であるか否かの判断が行われる（Ｓ２０４）。ここでは、Ｓ２０２において報知禁止フラグはＯＮとされているので、報知禁止状態であると判断される（Ｓ２０４：ＹＥＳ）。そこで、報知禁止状態を終了させるか否かの判断のために、経過時間カウンタの値により１０秒が経過したか否かの判断が行われる（Ｓ２０５）。１分はまだ経過していないので（Ｓ２０５）、そのままＳ２０７へ進む。
【００８９】
そして、監視情報を島管理装置１００から受信したか否かの判断が行われる（Ｓ２０７）。監視情報を島管理装置１００から受信していれば（Ｓ２０７：ＹＥＳ）、受信処理が行われる（Ｓ２０８）。図２０に示すように、受信処理では、まず、監視情報が継続情報であるか否かの判断が行われ（Ｓ２５１）、継続情報でなければ（Ｓ２５１：ＮＯ）、受信した監視情報が異常情報又は作業情報である場合にのみ監視情報記憶エリア６８１へ記憶される（Ｓ２５２）。継続情報は（Ｓ２５１：ＹＥＳ）、監視情報記憶エリア６８１へは記憶されない。そして、報知禁止状態であるので（Ｓ２５３：ＹＥＳ）、エマージェンシメッセージ画面５００は表示されずに、Ｓ２５６へ進む。また、報知禁止状態でなければ（Ｓ２５３：ＮＯ）、受信した監視情報が作業情報であるか否かの判断が行われ（Ｓ２５４）、作業情報であれば（Ｓ２５４：ＮＯ）、エマージェンシメッセージ画面５００を表示する必要はないので、そのままＳ２５６へ進む。一方、作業情報でなければ（Ｓ２５４：ＮＯ）、監視情報（異常情報及び継続情報）であるので、エマージェンシメッセージ画面５００が表示される（Ｓ２５５）。そして、Ｓ２５６へ進む。
【００９０】
そして、エマージェンシデータ画面５０１が表示されている状態であれば（Ｓ２５６：ＹＥＳ）、Ｓ２５２で監視情報記憶エリア６８１へ記憶された監視情報の内容がエマージェンシデータ画面５０１へ反映されて、表示が更新される（Ｓ２５７）。そして、Ｓ２０４へ戻る。なお、エマージェンシデータ画面５０１が表示されていない場合には（Ｓ２５６：ＮＯ）、そのまま、受信処理は終了して、ホールコンピュータ処理のＳ２０４へ戻る。
【００９１】
また、監視情報を受信していなければ（Ｓ２０７：ＮＯ）、エマージェンシデータ画面５０１の表示が指示されたか否かの判断が行われる（Ｓ２０９）。そして、エマージェンシデータ画面５０１の表示指示が行われていれば（Ｓ２０９：ＹＥＳ）、監視情報記憶エリア６８１に記憶されている監視情報を表示したエマージェンシデータ画面５０１（図１３参照）が表示される（Ｓ２１０）。そして、Ｓ２０４へ戻る。また、エマージェンシデータ画面５０１の表示指示が行われていなければ（Ｓ２０９：ＮＯ）、終了指示が行われたか否かの判断が行われる（Ｓ２１１）。終了指示が行われれば（Ｓ２１１：ＹＥＳ）、島管理装置１００との通信が切断され（Ｓ２１３）、終了のための処理が行われて（Ｓ２１４）、本処理は終了する。また、終了指示が行われていなければ（Ｓ２１１：ＮＯ）、その他のホールコンピュータ６００の処理（エマージェンシメッセージ画面５００やエマージェンシデータ画面５０１を閉じる処理、遊技情報の閲覧等）が行われ（Ｓ２１２）、Ｓ２０４へ戻る。
【００９２】
そして、報知禁止状態であるか否かの判断が行われ（Ｓ２０４）、まだ、報知禁止状態であると判断される（Ｓ２０４：ＹＥＳ）。そこで、報知禁止状態を終了させるか否かの判断のために、経過時間カウンタの値により１０秒が経過したか否かの判断が行われる（Ｓ２０５）。１分が経過していなければ（Ｓ２０５：ＮＯ）、そのままＳ２０７へ進み、Ｓ２０７、Ｓ２０８〜Ｓ２１２のいずれかの処理が行われ、Ｓ２０４へ戻る。繰り返しＳ２０４，Ｓ２０５，Ｓ２０７，Ｓ２０８〜Ｓ２１２のいずれかの処理が行われて、１分が経過したら、Ｓ２０５にて１分が経過したと判断され（Ｓ２０５：ＹＥＳ）、報知禁止状態を終了させるために、報知禁止状態フラグがＯＦＦされる（Ｓ２０６）。そして、Ｓ２０７へ進む。
【００９３】
そして、終了指示が行われた際には（Ｓ２１１：ＹＥＳ）、島管理装置１００との通信が終了され（Ｓ２１３）、ホールコンピュータ６００の処理を終了させるための種々の処理が行われて（Ｓ２１４）、本処理が終了される。
【００９４】
以上のように、ホールコンピュータ６００では監視情報（異常情報及び継続情報）を受信すると、エマージェンシメッセージ画面５００で異常の発生を報知するが、島管理装置１００との通信が成立して１分間は報知禁止状態とされ、報知は行われず、監視情報記憶エリア６８１への記憶のみが行われる。
【００９５】
例えば、夜間に多量の監視情報（異常情報及び継続情報）が作成された場合には、ホールコンピュータ６００において島管理装置１００との通信が開始された際に、島管理装置１００から多量の監視情報が受信することになる。夜間に係員が多数のパチンコ機１に対して作業を行うような場合には、１台１台に係員カード５１０を翳して認証状態とさせるには手間が掛かるため、認証状態とせずに作業を行ってしまう場合がある。このような場合には、全てのパチンコ機１の前面枠１１や機枠１０を開放したままにして作業が行われることが多いため、継続情報も多数作成されてしまう。しかし、本実施の形態の遊技場監視システムでは、島管理装置１００との通信が開始された後、１分間は報知禁止状態とされ、監視情報を受信しても報知は行わず、異常情報を監視情報記憶エリア６８１に記憶するのみである。よって、多量の監視情報を受信しても多量のエマージェンシメッセージ画面５００を表示しようとしてホールコンピュータ６００へ過剰な負荷が掛かったり、継続してエマージェンシメッセージ画面５００が表示され続けて、係員が他の操作を行えない状態に陥ることがない。
【００９６】
しかし、報知禁止状態中に受信した異常情報であっても、監視情報記憶エリア６８１に記憶され、エマージェンシデータ画面５０１には表示されるので、異常が発生したり、回復したりしたこと及びその内容を知ることはできる。
【００９７】
１０．請求項との対比
なお、上記実施の形態において、ハードディスク装置６８０の監視情報記憶エリア６８１が「異常情報記憶手段」に該当する。そして、ホールコンピュータ６００のディスプレイ６３４、及び、ディスプレイ６３４にエマージェンシデータ画面５０１（図１３参照）を表示するホールコンピュータ処理（図１９参照）のＳ２２０の処理を行うＣＰＵ６０１が「異常情報表示手段」に該当し、ホールコンピュータ６００のディスプレイ６３４、及び、ディスプレイ６３４にエマージェンシメッセージ画面５００（図１２参照）を表示するホールコンピュータ処理（図１９参照）のＳ２５５の処理を行うＣＰＵ６０１が「異常報知手段」及び「継続報知手段」に該当する。
【００９８】
そして、図１５に示す監視処理のＳ４２，Ｓ４４の処理を行うＲＷ３０のＣＰＵ３２が「判断手段」として機能し、図１６に示す発生処理のＳ６４、図１７に示す回復処理のＳ８３の処理を行うＲＷ３０のＣＰＵ３２が「異常情報作成手段」として機能する。そして、通信回路３６及び図１６に示す発生処理のＳ６９、図１７に示す回復処理のＳ８５の処理を行うＲＷ３０のＣＰＵ３２が「第一異常情報送信手段」として機能する。そして、図１６に示す発生処理のＳ７０−Ｓ７２、図１７に示す回復処理のＳ８６−Ｓ８８、図１４に示すメイン処理のＳ４，Ｓ５の処理を行うＲＷ３０のＣＰＵ３２が「異常情報再送制御手段」として機能し、図１６に示す発生処理のＳ６６、Ｓ６８の処理を行うＲＷ３０のＣＰＵ３２が「継続情報作成手段」として機能し、通信回路３６及び図１６に示す発生処理のＳ６９の処理を行うＲＷ３０のＣＰＵ３２が「第一継続情報送信手段」として機能する。
【００９９】
そして、通信回路１０６及び図１８に示す島管理装置処理のＳ１０４，Ｓ１０５の処理を行う島管理装置１００のＣＰＵ１０１が「第一異常情報受信手段」として機能し、通信回路１０６及びＳ１１１の処理を行う島管理装置１００のＣＰＵ１０１が「第二異常情報送信手段」として機能し、通信回路１０６及びＳ１０４〜Ｓ１０６の処理を行う島管理装置１００のＣＰＵ１０１が「第一継続情報受信手段」として機能し、通信回路１０６及びＳ１１１の処理を行う島管理装置１００のＣＰＵ１０１が「第二継続情報送信手段」として機能する。
【０１００】
そして、図２０に示す受信処理のＳ２５３の処理を行うホールコンピュータ６００のＣＰＵ６０１が「報知禁止手段」として機能し、図１９に示すホールコンピュータ処理のＳ２０２、Ｓ２０４〜Ｓ２０６の処理を行うホールコンピュータ６００のＣＰＵ６０１が「報知禁止制御手段」として機能し、図２０に示す受信処理のＳ２５２の処理を行うホールコンピュータ６００のＣＰＵ６０１が「異常情報記憶制御手段」として機能する。
そして、通信装置６０８及び図１９に示すホールコンピュータ処理のＳ２０７の処理を行うホールコンピュータ６００のＣＰＵ６０１が「第二異常情報受信手段」及び「第二継続情報受信手段」として機能する。
【０１０１】
１１．変形例の説明
なお、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【０１０２】
なお、上記実施の形態では、作業情報についてはエマージェンシメッセージ画面５００による報知を行っていないが、作業情報も異常情報として報知を行うようにしてもよい。また、上記実施の形態では、継続情報は監視情報記憶エリア６８１に記憶していないが、これを記憶してもよい。
【０１０３】
また、上記実施の形態では、報知禁止状態を１分としたが、この時間はこれに限らずより長くても短くてもよく、遊技場に設置されている遊技機の台数に応じて決定すればよい。また、所定時間経過後に報知禁止状態を終了させるのではなく、ホールコンピュータ６００において、種々の操作の入力を受け付ける画面において、報知禁止状態を終了させる旨の入力を行うためのメニューやボタンを設けて、これによる入力の受付により報知禁止状態を終了させるようにしてもよい。
【産業上の利用可能性】
【０１０４】
本発明の遊技機はパチンコ機１に限られず、パチコン機、パチスロ機等の各種の遊技機に適用可能である。
【図面の簡単な説明】
【０１０５】
【図１】遊技場監視システムを示す構成図である。
【図２】遊技場監視システムを導入した遊技場内の外観を示す説明図である。
【図３】パチンコ機１の前面枠１１及び本体枠１０を開いた状態をパチンコ機１の前面から見た斜視図である。
【図４】パチンコ機１の背面図である。
【図５】パチンコ機１の電気的構成を示すブロック図である。
【図６】島管理装置１００の電気的構成を示すブロック図である。
【図７】ホールコンピュータ６００の電気的構成を示すブロック図である。
【図８】２００５年８月１０日の台番号５２８のパチンコ機１に設置されているＲＷ３０の監視情報３５１の構成を示す模式図である。
【図９】２００５年８月１０日の台番号８０２のパチンコ機１に設置されているＲＷ３０の監視情報３５１の構成を示す模式図である。
【図１０】島管理装置１００のＥＥＰＲＯＭ１０４に設けられている監視情報記憶エリア１０４１の構成を示す模式図である。
【図１１】ホールコンピュータ６００の監視情報記憶エリア６８１の構成を示す模式図である。
【図１２】エマージェンシメッセージ画面５００のイメージ図である。
【図１３】エマージェンシデータ画面５０１のイメージ図である。
【図１４】ＲＷ３０で行われるメイン処理のフローチャートである。
【図１５】メイン処理の中で行われる監視処理のフローチャートである。
【図１６】監視処理の中で行われる発生処理のフローチャートである。
【図１７】監視処理の中で行われる回復処理のフローチャートである。
【図１８】島管理装置処理のフローチャートである。
【図１９】ホールコンピュータ処理のフローチャートである。
【図２０】ホールコンピュータ処理の中で行われる受信処理のフローチャートである。
【符号の説明】
【０１０６】
１  パチンコ機
３０  ＲＷ（リーダライダ）
３２  ＣＰＵ
６８  監視アンテナ
８６  監視タグ
１００  島管理装置
５００  エマージェンシメッセージ画面
５０１  エマージェンシデータ画面
６００  ホールコンピュータ
６０１  ＣＰＵ
６３４  ディスプレイ
６８０  ハードディスク装置
６８１  監視情報記憶エリア
【図１】
2007319259.tif 000003
【図２】
2007319259.tif 000004
【図３】
2007319259.tif 000005
【図４】
2007319259.tif 000006
【図５】
2007319259.tif 000007
【図６】
2007319259.tif 000008
【図７】
2007319259.tif 000009
【図８】
2007319259.tif 000010
【図９】
2007319259.tif 000011
【図１０】
2007319259.tif 000012
【図１１】
2007319259.tif 000013
【図１２】
2007319259.tif 000014
【図１３】
2007319259.tif 000015
【図１４】
2007319259.tif 000016
【図１５】
2007319259.tif 000017
【図１６】
2007319259.tif 000018
【図１７】
2007319259.tif 000019
【図１８】
2007319259.tif 000020
【図１９】
2007319259.tif 000021
【図２０】
2007319259.tif 000022